(57)【要約】【課題】単純な構成でリアルタイム性を確保し、印刷物の作成に係る生産性を向上させることが可能な画像処理装置、画像形成装置及び検査補正プログラムを提供する。【解決手段】ＰＷＭ信号を所定の周期でサンプリングし、主走査方向の画像開始タイミング又は変倍量を振った複数の参照画像データを生成する参照画像生成部１６０と、検査部１８０における読み取り画像データと参照画像生成部１６０により生成された複数の参照画像データとの比較結果に基づいて、主走査方向の画像開始タイミング又は変倍量を補正する補正部１９０と、を備える。【選択図】図１
2019144306.tif 000002
【特許請求の範囲】
【請求項１】
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像処理装置であって、
前記ＰＷＭ信号を所定の周期でサンプリングし、主走査方向の画像開始タイミング又は変倍量を振った複数の前記参照画像データを生成する参照画像生成部と、
前記検査部における前記読み取り画像データと前記参照画像生成部により生成された複数の参照画像データとの比較結果に基づいて、前記主走査方向の画像開始タイミング又は前記変倍量を補正する補正部と、
を備えることを特徴とする画像処理装置。
【請求項２】
前記補正部は、複数の前記比較結果のうち最も一致度が高い比較結果に基づいて、前記主走査方向の画像開始タイミング又は前記変倍量の補正量を決定することを特徴とする請求項１に記載の画像処理装置。
【請求項３】
前記補正部は、複数の前記比較結果のうち一致度が高い２つの比較結果の補間演算により、前記主走査方向の画像開始タイミング又は前記変倍量の補正量を決定することを特徴とする請求項１に記載の画像処理装置。
【請求項４】
前記参照画像生成部は、オンとオフとの２値である前記ＰＷＭ信号について、所定の周期毎に当該ＰＷＭ信号を１回サンプリングし、前記参照画像データを２値データとして生成することを特徴とする請求項１〜３のいずれか一項に記載の画像処理装置。
【請求項５】
前記参照画像生成部は、オンとオフとの２値である前記ＰＷＭ信号について、所定の周期毎に当該ＰＷＭ信号を複数回サンプリングし、複数のサンプリング結果を用いて、前記参照画像データを多値データとして生成することを特徴とする請求項１〜４のいずれか一項に記載の画像処理装置。
【請求項６】
前記ＰＷＭ信号を生成する際に使用されるクロック信号を参照して、前記参照画像生成部が前記ＰＷＭ信号をサンプリングする際のクロック信号を生成するクロック生成部を備えることを特徴とする請求項１〜５のいずれか一項に記載の画像処理装置。
【請求項７】
前記参照画像生成部により生成される前記参照画像データの前記検査部への到達タイミングを遅らせることで、前記読み取り画像データと前記参照画像データのタイミングを一致させるタイミング調整部を備え、
前記検査部は、前記読み取り画像データと前記タイミング調整部によってタイミングが調整された前記参照画像データとを比較して、前記印刷物を検査することを特徴とする請求項１〜６のいずれか一項に記載の画像処理装置。
【請求項８】
前記タイミング調整部は、前記読み取り画像データを生成するタイミング信号を利用して、前記読み取り画像データと前記参照画像データのタイミングを一致させることを特徴とする請求項７に記載の画像処理装置。
【請求項９】
前記ＰＷＭ信号に基づいて主走査方向のライン毎に副走査方向に繰り返して前記画像が形成され、主走査方向のライン毎に副走査方向に繰り返して前記印刷物が読み取られて前記読み取り画像データが生成される場合に、
前記検査部は、前記読み取り画像データと、前記タイミング調整部によってタイミングが調整された前記参照画像データとをライン毎に比較して検査することを特徴とする請求項７又は８に記載の画像処理装置。
【請求項１０】
前記参照画像生成部は、前記読み取り画像データと等しい解像度の複数の前記参照画像データを生成することを特徴とする請求項１〜９のいずれか一項に記載の画像処理装置。
【請求項１１】
元画像データから各画素の画素値に応じたパルス幅を有するＰＷＭ信号を生成し、前記ＰＷＭ信号を用いて用紙上に画像が形成された印刷物を生成する画像形成部と、
前記印刷物を読み取って読み取り画像データを生成する読み取り部と、
請求項１〜１０のいずれか一項に記載の画像処理装置と、
を備えることを特徴とする画像形成装置。
【請求項１２】
元画像データから各画素の画素値に応じたパルス幅を有するＰＷＭ信号を生成し、前記ＰＷＭ信号を用いて用紙上に画像が形成された印刷物を生成する画像形成部と、
前記印刷物を読み取って読み取り画像データを生成する読み取り部と、
請求項１〜１０のいずれか一項に記載の画像処理装置と、
を備え、
前記検査部は、更に、前記読み取り画像データと前記参照画像データとを比較して、前記印刷物の画像が異常であるか否かを検査することを特徴とする画像形成装置。
【請求項１３】
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像処理装置を制御する検査補正プログラムであって、
前記ＰＷＭ信号を所定の周期でサンプリングし、主走査方向の画像開始タイミング又は変倍量を振った複数の前記参照画像データを生成する参照画像生成部、
前記検査部における前記読み取り画像データと前記参照画像生成部により生成された複数の参照画像データとの比較結果に基づいて、前記主走査方向の画像開始タイミング又は前記変倍量を補正する補正部、
として画像処理装置のコンピュータを制御する検査補正プログラム。
【請求項１４】
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像形成装置を制御する検査補正プログラムであって、
元画像データから各画素の画素値に応じたパルス幅を有するＰＷＭ信号を生成し、前記ＰＷＭ信号を用いて用紙上に画像が形成された印刷物を生成する画像形成部、
前記印刷物を読み取って読み取り画像データを生成する読み取り部、
前記ＰＷＭ信号を所定の周期でサンプリングし、主走査方向の画像開始タイミング又は変倍量を振った複数の前記参照画像データを生成する参照画像生成部、
前記検査部における前記読み取り画像データと前記参照画像生成部により生成された複数の参照画像データとの比較結果に基づいて、前記主走査方向の画像開始タイミング又は前記変倍量を補正する補正部、
として画像形成装置のコンピュータを制御する検査補正プログラム。
【発明の詳細な説明】
【技術分野】
【０００１】
本発明は、画像処理装置、画像形成装置及び検査補正プログラムに関する。
【背景技術】
【０００２】
近年、印刷物に対しての安定性が求められている。したがって、印刷物の欠陥や異常、不良等を早期にかつ正確に発見することで、安定性を欠いた印刷物が市場に流出しないようにする仕組みが求められている。
そこで、元画像データを用いて画像形成して印刷物を作成し、この印刷物をスキャナで読み取って読み取り画像データを生成し、元画像データから作成した参照画像データと読み取り画像データとを比較することで、印刷物の画像のずれを算出して補正を行う処理が知られている。
【０００３】
例えば、複数の画像形成手段により記録媒体上に形成された複数のレジスト補正マークを検出し、その検出結果に基づいて複数の画像形成手段により形成された各画像間の位置ずれを補正する構成が開示されている（例えば、特許文献１参照）。
また、副走査方向の画素の濃度に応じたパルス幅の連続が反転する関係となるように画像データの各画素の濃度を補正することで、画像データの１画素未満の補正を行う構成が開示されている（例えば、特許文献２参照）。
【先行技術文献】
【特許文献】
【０００４】
【特許文献１】特許第３８８４９０７号公報
【特許文献２】特開２０１１−１０７２７４号公報
【発明の概要】
【発明が解決しようとする課題】
【０００５】
ところで、上記従来の技術は、画像の位置ずれ補正や変倍補正を行う際、専用パッチ画像を生成して用いることが一般的である。すなわち、上記従来の技術においては、実機動作中にユーザー画像を用いてリアルタイムに補正を行うことができない。したがって、専用パッチ画像を用いた補正処理を行う分、不必要に時間や出力物を消費してしまうことから、印刷物の作成に際し、生産性を向上させることができないという課題がある。
【０００６】
本発明は、単純な構成でリアルタイム性を確保し、印刷物の作成に係る生産性を向上させることが可能な画像処理装置、画像形成装置及び検査補正プログラムを提供することを目的とする。
【課題を解決するための手段】
【０００７】
請求項１に記載の発明は、上記目的を達成するためになされたものであり、
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像処理装置であって、
前記ＰＷＭ信号を所定の周期でサンプリングし、主走査方向の画像開始タイミング又は変倍量を振った複数の前記参照画像データを生成する参照画像生成部と、
前記検査部における前記読み取り画像データと前記参照画像生成部により生成された複数の参照画像データとの比較結果に基づいて、前記主走査方向の画像開始タイミング又は前記変倍量を補正する補正部と、
を備えることを特徴とする。
【０００８】
請求項２に記載の発明は、請求項１に記載の画像処理装置において、
前記補正部は、複数の前記比較結果のうち最も一致度が高い比較結果に基づいて、前記主走査方向の画像開始タイミング又は前記変倍量の補正量を決定することを特徴とする。
【０００９】
請求項３に記載の発明は、請求項１に記載の画像処理装置において、
前記補正部は、複数の前記比較結果のうち一致度が高い２つの比較結果の補間演算により、前記主走査方向の画像開始タイミング又は前記変倍量の補正量を決定することを特徴とする。
【００１０】
請求項４に記載の発明は、請求項１〜３のいずれか一項に記載の画像処理装置において、
前記参照画像生成部は、オンとオフとの２値である前記ＰＷＭ信号について、所定の周期毎に当該ＰＷＭ信号を１回サンプリングし、前記参照画像データを２値データとして生成することを特徴とする。
【００１１】
請求項５に記載の発明は、請求項１〜４のいずれか一項に記載の画像処理装置において、
前記参照画像生成部は、オンとオフとの２値である前記ＰＷＭ信号について、所定の周期毎に当該ＰＷＭ信号を複数回サンプリングし、複数のサンプリング結果を用いて、前記参照画像データを多値データとして生成することを特徴とする。
【００１２】
請求項６に記載の発明は、請求項１〜５のいずれか一項に記載の画像処理装置において、
前記ＰＷＭ信号を生成する際に使用されるクロック信号を参照して、前記参照画像生成部が前記ＰＷＭ信号をサンプリングする際のクロック信号を生成するクロック生成部を備えることを特徴とする。
【００１３】
請求項７に記載の発明は、請求項１〜６のいずれか一項に記載の画像処理装置において、
前記参照画像生成部により生成される前記参照画像データの前記検査部への到達タイミングを遅らせることで、前記読み取り画像データと前記参照画像データのタイミングを一致させるタイミング調整部を備え、
前記検査部は、前記読み取り画像データと前記タイミング調整部によってタイミングが調整された前記参照画像データとを比較して、前記印刷物を検査することを特徴とする。
【００１４】
請求項８に記載の発明は、請求項７に記載の画像処理装置において、
前記タイミング調整部は、前記読み取り画像データを生成するタイミング信号を利用して、前記読み取り画像データと前記参照画像データのタイミングを一致させることを特徴とする。
【００１５】
請求項９に記載の発明は、請求項７又は８に記載の画像処理装置において、
前記ＰＷＭ信号に基づいて主走査方向のライン毎に副走査方向に繰り返して前記画像が形成され、主走査方向のライン毎に副走査方向に繰り返して前記印刷物が読み取られて前記読み取り画像データが生成される場合に、
前記検査部は、前記読み取り画像データと、前記タイミング調整部によってタイミングが調整された前記参照画像データとをライン毎に比較して検査することを特徴とする。
【００１６】
請求項１０に記載の発明は、請求項１〜９のいずれか一項に記載の画像処理装置において、
前記参照画像生成部は、前記読み取り画像データと等しい解像度の複数の前記参照画像データを生成することを特徴とする。
【００１７】
請求項１１に記載の発明は、
画像形成装置において、
元画像データから各画素の画素値に応じたパルス幅を有するＰＷＭ信号を生成し、前記ＰＷＭ信号を用いて用紙上に画像が形成された印刷物を生成する画像形成部と、
前記印刷物を読み取って読み取り画像データを生成する読み取り部と、
請求項１〜１０のいずれか一項に記載の画像処理装置と、
を備えることを特徴とする。
【００１８】
請求項１２に記載の発明は、
画像形成装置において、
元画像データから各画素の画素値に応じたパルス幅を有するＰＷＭ信号を生成し、前記ＰＷＭ信号を用いて用紙上に画像が形成された印刷物を生成する画像形成部と、
前記印刷物を読み取って読み取り画像データを生成する読み取り部と、
請求項１〜１０のいずれか一項に記載の画像処理装置と、
を備え、
前記検査部は、更に、前記読み取り画像データと前記参照画像データとを比較して、前記印刷物の画像が異常であるか否かを検査することを特徴とする。
【００１９】
請求項１３に記載の発明は、
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像処理装置を制御する検査補正プログラムであって、
前記ＰＷＭ信号を所定の周期でサンプリングし、主走査方向の画像開始タイミング又は変倍量を振った複数の前記参照画像データを生成する参照画像生成部、
前記検査部における前記読み取り画像データと前記参照画像生成部により生成された複数の参照画像データとの比較結果に基づいて、前記主走査方向の画像開始タイミング又は前記変倍量を補正する補正部、
として画像処理装置のコンピュータを制御する検査補正プログラムである。
【００２０】
請求項１４に記載の発明は、
元画像データの各画素の画素値に応じたパルス幅を有するＰＷＭ信号によって用紙上に画像が形成された印刷物について、前記印刷物を読み取って得られる読み取り画像データと、画像検査の比較対象として基準になる参照画像データとを比較して、前記印刷物を検査する検査部を備える画像形成装置を制御する検査補正プログラムであって、
元画像データから各画素の画素値に応じたパルス幅を有するＰＷＭ信号を生成し、前記ＰＷＭ信号を用いて用紙上に画像が形成された印刷物を生成する画像形成部、
前記印刷物を読み取って読み取り画像データを生成する読み取り部、
前記ＰＷＭ信号を所定の周期でサンプリングし、主走査方向の画像開始タイミング又は変倍量を振った複数の前記参照画像データを生成する参照画像生成部、
前記検査部における前記読み取り画像データと前記参照画像生成部により生成された複数の参照画像データとの比較結果に基づいて、前記主走査方向の画像開始タイミング又は前記変倍量を補正する補正部、
として画像形成装置のコンピュータを制御する検査補正プログラムである。
【発明の効果】
【００２１】
本発明によれば、単純な構成でリアルタイム性を確保し、印刷物の作成に係る生産性を向上させることができる。
【図面の簡単な説明】
【００２２】
【図１】第１構成例に係る画像形成装置に含まれる各装置の各部の機能を示す機能ブロック図である。
【図２】画像形成装置に含まれる各装置の各部の機械的構成要素を示す説明図である。
【図３】第２構成例に係る画像形成装置に含まれる各装置の各部の機能を示す機能ブロック図である。
【図４】第３構成例に係る画像形成装置に含まれる各装置の各部の機能を示す機能ブロック図である。
【図５】画像形成装置の動作を示すフローチャートである。
【図６】主走査方向の画像開始タイミングを意図的にずらした複数の参照画像データの一例を示す図である。
【図７】主走査方向の変倍量を意図的にずらした複数の参照画像データの一例を示す図である。
【図８】２値の参照画像データを生成する場合の画像形成装置における各部の信号タイミングを示すタイムチャートである。
【図９】多値の参照画像データを生成する場合の画像形成装置における各部の信号タイミングを示すタイムチャートである。
【発明を実施するための形態】
【００２３】
以下、本発明の実施の形態について、図面を参照して詳細に説明する。
【００２４】
［第１構成例］
本実施形態に係る画像形成装置１００は、原稿から画像を読み取って得られた画像データ又は外部機器から受信した画像データに基づいて、電子写真方式により用紙上にカラー画像を形成するタンデム型のカラー画像形成装置である。以下、画像形成装置１００の第１構成例を、図１及び図２に基づいて詳細に説明する。
【００２５】
画像形成装置１００は、図１及び図２に示すように、制御部１０１と、クロック生成部１０２と、操作表示部１０３と、記憶部１０４と、給紙部１０５と、搬送部１０６と、画像データ記憶部１１０と、解像度変換部１２０と、ＰＷＭ処理部１３０と、画像形成部１４０と、出力物読み取り部１５０と、参照画像生成部１６０と、タイミング調整部１７０と、検査部１８０と、補正部１９０と、を備えて構成されている。
【００２６】
制御部１０１は、ＣＰＵ、ＲＡＭ、ＲＯＭ等を備えて構成され、ＣＰＵはＲＯＭに記憶されている各種プログラムをＲＡＭに展開し、展開された各種プログラムと協働して、画像形成装置１００内の各部の動作を統括的に制御する。
【００２７】
クロック生成部１０２は、画像形成装置１００内の各部での処理に必要とされるタイミング信号やクロック信号を生成する。例えば、クロック生成部１０２は、読み取り画像データを生成するタイミング信号を生成する。また、クロック生成部１０２は、ＰＷＭ信号を生成する際に使用されるクロック信号や、参照画像生成部１６０がＰＷＭ信号をサンプリングする際のクロック信号を生成する。
【００２８】
操作表示部１０３は、例えば、タッチパネル付の液晶ディスプレイ（ＬＣＤ）で構成されている。
操作表示部１０３は、制御部１０１から入力される表示制御信号に従って、各種操作画面、各機能の動作状況等の表示を行う。また、ユーザーによるタッチ操作を受け付けて、操作信号を制御部１０１に出力する。
また、操作表示部１０３は、テンキー、スタートキー等の各種操作キーを備え、ユーザーによる各種入力操作を受け付けて、操作信号を制御部１０１に出力する。ユーザーは、操作表示部１０３を操作して、画質設定、倍率設定、応用設定、出力設定及び用紙設定等の画像形成に関する設定、用紙搬送指示、並びに装置の停止操作などを行うことができる。
【００２９】
記憶部１０４は、ＨＤＤ（Hard Disk Drive）、半導体メモリなどにより構成され、プログラムデータや各種設定データ等のデータを制御部１０１から読み書き可能に記憶する。
【００３０】
給紙部１０５は、複数の給紙トレイを備えて構成され、各給紙トレイに種類の異なる用紙が収容される。給紙部１０５は、各給紙トレイに収容された用紙Ｐを所定の搬送路により画像形成部１４０に給紙する。
【００３１】
搬送部１０６は、所定の搬送路に従って用紙を搬送する。具体的には、搬送部１０６は、制御部１０１の指示に従って、給紙部１０５や手差しトレイから給紙された用紙を画像形成部１４０へと搬送し、画像形成及び定着された用紙を排紙口から排紙トレイに排出する。
【００３２】
画像データ記憶部１１０は、画像形成する際の元画像データを記憶する。
解像度変換部１２０は、元画像データを、画像形成に必要な解像度を有する出力画像データに変換する。
【００３３】
ＰＷＭ処理部１３０は、解像度変換部１２０により変換された出力画像データを、画像形成部１４０で利用可能な状態の各画素の画素値に応じたパルス幅を有するＰＷＭ信号（露光信号）に変換する。また、ＰＷＭ処理部１３０は、上記のＰＷＭ処理に加え、固有画像処理を実行する。この固有画像処理とは、画像形成部１４０での電子写真方式の画像形成において、細線が更に細くなるなどの現象に対処するため、予め細線を太くしておく処理である。これにより、印刷物上では細線が細くなる現象が生じない。
【００３４】
画像形成部１４０は、ＰＷＭ処理部１３０により変換されたＰＷＭ信号に基づいて、用紙上に画像を形成し、印刷物を作成する。画像形成部１４０は、図２に示すように、帯電された像担持体（感光体）に形成される静電潜像が現像されてトナー像となり、中間転写体（中間転写ベルト）上で各色のトナー像が重ね合わされてから用紙に転写される、いわゆる電子写真方式の画像形成部である。
【００３５】
画像形成部１４０は、Ｃ、Ｍ、Ｙ及びＫの色ごとに、露光部、感光体及び現像部を、１セットずつ備えて構成されている。また、画像形成部１４０は、中間転写ベルト、２次転写ローラー、定着装置を備えて構成されている。ただし、画像形成部１４０の具体的構成は、図２に示すものに限られない。
【００３６】
露光部は、発光素子としてＬＤ（Laser Diode）を備え、ＰＷＭ処理部１３０により変換されたＰＷＭ信号に基づいてＬＤを駆動し、帯電する感光体上にレーザー光を照射して露光する。現像部は、帯電する現像ローラーにより感光体上にトナーを供給し、露光により感光体上に形成された静電潜像を現像する。
このようにして４つの感光体上に各色のトナーで形成された画像は、各感光体から中間転写ベルト上に順次重ねて転写される。これにより、中間転写ベルト上にカラー画像が形成される。中間転写ベルトは、複数のローラーに巻き回された無端ベルトであり、各ローラーの回転に従って回転する。
２次転写ローラーは、中間転写ベルト上のカラー画像を、給紙トレイから給紙された用紙上に転写する。定着装置は、転写後の用紙を加熱及び加圧して定着処理する。
【００３７】
出力物読み取り部１５０は、画像形成部１４０により生成された印刷物（用紙上に形成された画像）を、搬送部１０６による搬送中に読み取る。出力物読み取り部１５０は、読取位置を通過する用紙の全幅に亘って用紙上に形成された画像を順次読み取る。なお、出力物読み取り部１５０は、図２に示すように、画像形成部１４０の下流側に配置されており、印刷物の両面を一度に読み取るようにしてもよいし、印刷物を片面ずつ読み取るようにしてもよい。
【００３８】
参照画像生成部１６０は、ＰＷＭ信号を所定の周期でサンプリングして読み取り画像データと等しい解像度の参照画像データを生成するサンプリング部１６１を複数（図１では３つ）備えている。参照画像生成部１６０は、ＰＷＭ処理部１３０により変換されたＰＷＭ信号を複数のサンプリング部１６１によりそれぞれ所定の周期でサンプリングし、主走査方向の画像開始タイミング又は変倍量を振った複数の参照画像データを生成する。図６に主走査方向の画像開始タイミングを意図的にずらした複数の参照画像データＧ１〜Ｇ３の一例を、図７に主走査方向の変倍量を意図的にずらした複数の参照画像データＧ４〜Ｇ６の一例を、それぞれ示す。このとき、参照画像生成部１６０は、出力物読み取り部１５０により読み取られた読み取り画像データと等しい解像度の複数の参照画像データを生成する。このように、参照画像生成部１６０では、複数のサンプリング部１６１により並列動作が行われることで、複数の参照画像データをリアルタイムに生成することができる。
【００３９】
タイミング調整部１７０は、参照画像生成部１６０により生成された参照画像データの検査部１８０への到達タイミングを遅らせて、読み取り画像データと参照画像データのタイミングを一致させる。
検査部１８０は、読み取り画像データと参照画像データとを比較することで印刷物を検査し、その検査結果を制御部１０１に通知する。
補正部１９０は、読み取り画像データと複数の参照画像データとの比較結果に基づいて、主走査方向の画像開始タイミング又は変倍量を補正する。
【００４０】
［第２構成例］
次に、画像形成装置１００の第２構成例を、図３に基づいて詳細に説明する。なお、この画像形成装置１００の第２構成例において、図１に示した第１構成例と同一物には同一番号を付すことで重複した説明を省略する。
【００４１】
第２構成例において、参照画像生成部１６０では、ＰＷＭ信号を所定の周期でサンプリングして読み取り画像データと等しい解像度の参照画像データを生成する複数（図３では３つ）のサンプリング部１６１に加え、ＰＷＭ処理部１３０における固有画像処理を除去して本来の状態の参照画像データを生成するための複数（図３では３つ）の固有処理除去部１６２を有して構成されている。これにより、参照画像としては固有画像処理が施されていないノーマルの状態になり、読み取り画像と参照画像とで適切な比較が可能になる。
【００４２】
［第３構成例］
次に、画像形成装置１００の第３構成例を、図４に基づいて詳細に説明する。なお、この画像形成装置１００の第３構成例において、図１に示した第１構成例と同一物には同一番号を付すことで重複した説明を省略する。
【００４３】
第３構成例において、参照画像生成部１６０では、ＰＷＭ信号を所定の周期でサンプリングして読み取り画像データと等しい解像度の参照画像データを生成する複数（図４では３つ）のサンプリング部１６１に加え、サンプリングにより得られたデータを所定数単位で平均化する複数（図４では３つ）の平均化部１６３を有して構成されている。
ここで、サンプリング部１６１は、オンとオフとの２値であるＰＷＭ信号について、読み取り画像データと等しい解像度を得る所定の周期毎に当該ＰＷＭ信号を複数回サンプリングし、複数のサンプリング結果を用いて、参照画像データを多値データとして生成するものである。なお、この際も、第２構成例と同様に、固有画像処理を除去する構成を兼ね備えていてもよい。
【００４４】
［動作］
以下、図５のフローチャートを参照し、基本となる実施形態の動作説明を行う。なお、以下の動作は、制御部１０１における制御プログラム（検査補正プログラム）により実現される。
【００４５】
まず、画像形成装置１００の制御部１０１は、画像形成に関する指示（画像形成指示）を、操作表示部１０３を介してユーザーから受け付けるか、又は、通信部を介して外部機器から受け付ける（ステップＳ１００）。画像形成指示としては、画像形成の開始の指示と、画像形成する画像データの指定、断裁予定領域と画像形成領域との指定、後処理の指定、などが挙げられる。
なお、画像処理装置として、制御部１０１は、画像形成開始とは別に明確な画像処理（検査や補正）開始の指示を受け付けても良いし、画像形成開始と同時に画像処理開始の指示を受け付けても良いし、画像形成の開始の指示を画像処理開始の指示と解釈しても良い。
【００４６】
次に、制御部１０１は、指定された画像データについて画像形成するための元画像データを、画像データ記憶部１１０から呼び出す（ステップＳ１０１）。
【００４７】
次に、制御部１０１は、ステップＳ１０１で呼び出した元画像データを、解像度変換部１２０において画像形成に必要な解像度に変換し、出力画像データを生成する（ステップＳ１０２）。例えば、元画像データの解像度が６００ｄｐｉである場合であって、画像形成部１４０により１２００ｄｐｉで画像形成する場合には、解像度変換部１２０において６００ｄｐｉの元画像データを解像度変換処理し、１２００ｄｐｉの出力画像データを生成する。
【００４８】
次に、制御部１０１は、ステップＳ１０２で生成した出力画像データをＰＷＭ処理部１３０でＰＷＭ処理し、オン／オフ２値のパルスであって各画素の画素値に応じたパルス幅を有するＰＷＭ信号を生成する（ステップＳ１０３）。
【００４９】
次に、制御部１０１は、ステップＳ１０３で生成したＰＷＭ信号を用いて露光して感光体に潜像を形成し、現像部で潜像をトナー像に変換し、給紙部１０５から用紙を画像形成部１４０に向けて給紙させ、感光体上のトナー像を搬送された用紙に転写し、用紙上のトナー像を定着ローラーで定着して印刷物を作成するように、給紙部１０５、搬送部１０７、画像形成部１４０を制御する（ステップＳ１０４）。
【００５０】
次に、制御部１０１は、ステップＳ１０４において画像形成部１４０の画像形成により作成された印刷物を、出力物読み取り部１５０に向けて搬送するように、搬送部１０７を制御する（ステップＳ１０５）。
【００５１】
次に、制御部１０１からのリード信号により制御される出力物読み取り部１５０は、搬送中の印刷物を読み取って、ＲＧＢ形式の読み取り画像データを生成する（ステップＳ１０６）。
【００５２】
次に、制御部１０１により制御される出力物読み取り部１５０は、生成したＲＧＢ形式の読み取り画像データをＹＭＣＫ形式に変換する入力画像処理を施し、検査用の読み取り画像データとして、この検査用の読み取り画像データを検査部１８０に送る（ステップＳ１０７）。
【００５３】
一方、参照画像生成部１６０は、ステップＳ１０３においてＰＷＭ処理部１３０により生成された２値のＰＷＭ信号を所定の周期でサンプリングし、読み取り画像データと等しい解像度の参照画像データを生成する（ステップＳ１０８）。
例えば、１２００ｄｐｉの出力画像データから１２００ｄｐｉのＰＷＭ信号が生成され、出力物読み取り部１５０において３００ｄｐｉの読み取り画像データが生成されている場合を想定する。この場合には、主走査方向及び副走査方向で、１２００ｄｐｉのＰＷＭ信号を４倍の周期でサンプリングすることで３００ｄｐｉの参照画像データを生成することができる。
【００５４】
この場合、クロック生成部１０２は、ＰＷＭ処理部１３０に対し１２００ｄｐｉの処理のための出力クロックを供給するとともに、この出力クロックを４分周することで３００ｄｐｉのサンプリング処理のための参照画像クロックを生成して参照画像生成部１６０に供給する。なお、この３００ｄｐｉの参照画像クロックとしては、主走査方向に４分周するとともに、副走査方向にも１２００ｄｐｉの４ラインに対して１ラインの割合で参照画像データを生成する。
【００５５】
すなわち、参照画像生成部１６０は、オンとオフとの２値であるＰＷＭ信号について、読み取り画像データと等しい解像度を得る所定の周期毎に当該ＰＷＭ信号を１回サンプリングし、参照画像データを２値データとして生成する。
【００５６】
なお、参照画像生成部１６０は、参照画像データを、２値ではなく多値にすることも可能である。この場合、参照画像生成部１６０は、オンとオフとの２値であるＰＷＭ信号について、読み取り画像データと等しい解像度を得る所定の周期毎に当該ＰＷＭ信号を複数回サンプリングし、複数のサンプリング結果を用いて、参照画像データを多値データとして生成する。
【００５７】
例えば、上述した３００ｄｐｉの読み取り画像データと同じ解像度とした場合、その３００ｄｐｉを得るための１周期において、サンプリング部１６１（図４参照）がＰＷＭ信号を４回サンプリングし、主走査方向に４回・副走査方向に４回の合計１６回のサンプリング結果を平均化部１６３（図４参照）が平均化して１画素を生成する。これにより、３００ｄｐｉの解像度であって、０〜１５の１６値（４ビット相当）の参照画像データを生成することができる。
【００５８】
この場合、クロック生成部１０２は、ＰＷＭ処理部１３０に対し１２００ｄｐｉの処理のための出力クロックを供給するとともに、この出力クロックと同じクロックを、３００ｄｐｉ・４サンプリング処理のための参照画像クロックとして参照画像生成部１６０に供給する。
なお、クロック生成部１０２は、ＰＷＭ処理部１３０のＰＷＭ信号の解像度に合わせて出力クロックを生成するとともに、更に、出力クロックを利用して、参照画像生成部１６０の参照画像データの解像度（読み取り画像データと同じ）と参照画像データの階調数に合わせて参照画像クロックを生成すればよい。
【００５９】
また、ステップＳ１０８において、参照画像生成部１６０は、主走査方向の画像開始タイミング又は変倍量を振った複数の参照画像データを生成する。
【００６０】
例えば、図６に示すように、主走査方向の画像開始タイミングを意図的にずらした複数（図６では３つ）の参照画像データＧ１〜Ｇ３を生成する。参照画像データＧ１は、主走査方向の画像開始タイミングを前方にずらした（早めた）ものである。参照画像データＧ２は、主走査方向の画像開始タイミングを通常どおりとしたものである。参照画像データＧ３は、主走査方向の画像開始タイミングを後方にずらした（遅らせた）ものである。
【００６１】
また、図７に示すように、主走査方向の変倍量を意図的にずらした複数（図７では３つ）の参照画像データＧ４〜Ｇ６を生成する。参照画像データＧ４は、サンプリングの間隔を広げることで、主走査方向に縮小するように変倍量をずらしたものである。参照画像データＧ５は、サンプリングの間隔を通常どおりとして、変倍量を通常どおりとしたものである。参照画像データＧ６は、サンプリングの間隔を狭めることで、主走査方向に拡大するように変倍量をずらしたものである。
【００６２】
次に、参照画像生成部１６０は、ＰＷＭ信号をサンプリングして参照画像データを生成する際に、必要な所定の画像処理を施す（ステップＳ１０９）。なお、所定の画像処理としては、参照画像データを読み取り画像データと近い状態にして、読み取り画像データに汚れや欠損などの異常がない場合に参照画像データと読み取り画像データとを一致した状態にする画像処理が考えられる。また、所定の画像処理としては、他に、ＰＷＭ処理部１３０においてＰＷＭ処理に加えて細線対策の固有画像処理を実行している場合に、固有処理除去部１６２（図３参照）により、ＰＷＭ処理部１３０における固有画像処理を除去して本来の状態の参照画像データを生成することなどが該当する。
【００６３】
次に、制御部１０１により制御されるタイミング調整部１７０は、検査部１８０での検査に際して、出力物読み取り部１５０で生成された読み取り画像データと、参照画像生成部１６０で生成された参照画像データと、のタイミングが一致するように調整する（ステップＳ１１０）。
【００６４】
この実施形態では、参照画像生成部１６０においてＰＷＭ信号をサンプリングすることで参照画像データを生成しているため、参照画像データを生成する際に従来のような解像度変換処理が不要になっていて、参照画像データを従来よりも短時間で生成することが可能になっている。実際には、画像形成部１４０の画像形成や印刷物の出力物読み取り部１５０への搬送よりも、参照画像生成部１６０における参照画像データの生成が早い。このため、タイミング調整部１７０は、タイミング調整部１７０内のデータバッファや画像データ記憶部１１０などに参照画像データを一時的に記憶させることで、検査部１８０に到達する読み取り画像データと参照画像データとのタイミングが一致するように調整する。
【００６５】
なお、タイミング調整部１７０では、参照画像生成部１６０で参照画像データとともに生成されるライト信号により、参照画像データが書き込まれる。そして、タイミング調整部１７０には、出力物読み取り部１５０に供給されるリード信号が供給されており、このリード信号により参照画像データが読み出される。すなわち、同じリード信号を使用するため、読み取り画像データと参照画像データとはタイミングが一致した状態になる。なお、このリード信号については、制御部１０１が生成するようにしてもよいし、他の信号発生部により発生させるようにしてもよい。
【００６６】
次に、制御部１０１から検査実行の指示を受けた検査部１８０は、タイミング調整された読み取り画像データと複数の参照画像データのそれぞれとを比較して、いずれの参照画像データが最も一致しているかを検査する（ステップＳ１１１）。なお、画像形成部１４０での画像形成や出力物読み取り部１５０での読み取りが主走査方向のライン毎に実行されることに合わせ、検査部１８０では、主走査方向のライン毎に検査を実行する。この検査は、画像の位置ずれや変倍が発生していないかを確認する検査である。なお、検査部１８０は、検査結果（位置ずれ・変倍の有無）を制御部１０１に通知する。
【００６７】
例えば、読み取り画像データが、複数の参照画像データのうち参照画像データＧ２（図６参照）と最も一致度が高かった場合、通常どおりの画像が形成されたと見做すことができるので、画像の位置ずれが発生していないと判定し、制御部１０１に通知する。
一方、読み取り画像データが、複数の参照画像データのうち参照画像データＧ１（図６参照）又は参照画像データＧ３（図６参照）と最も一致度が高かった場合、画像の位置ずれが発生したと判定し、制御部１０１に通知する。
【００６８】
また、読み取り画像データが、複数の参照画像データのうち参照画像データＧ５（図７参照）と最も一致度が高かった場合、通常どおりの画像が形成されたと見做すことができるので、画像の変倍が発生していないと判定し、制御部１０１に通知する。
一方、読み取り画像データが、複数の参照画像データのうち参照画像データＧ４（図７参照）又は参照画像データＧ６（図７参照）と最も一致度が高かった場合、画像の変倍が発生したと判定し、制御部１０１に通知する。
【００６９】
制御部１０１は、検査部１８０からの検査結果を受け、所定の予め定められた閾値以上の用紙において、画像の位置ずれや変倍が発生しているか否かを判定する（ステップＳ１１２）。なお、この閾値はユーザーが定めてもよいし、製造時に予めプリセットされた値でもよい。また、画像の用途や用紙種類に応じて閾値を切り替えるようにしてもよい。
制御部１０１は、所定の予め定められた閾値以上の用紙において、画像の位置ずれや変倍が発生していると判定した場合（ステップＳ１１２：ＹＥＳ）、補正処理を行う（ステップＳ１１３）。
【００７０】
例えば、制御部１０１は、読み取り画像データが参照画像データＧ１（図６参照）と最も一致度が高かった場合、主走査方向の画像開始タイミングを前方にずらした画像と一致度が高いと見做すことができるため、主走査方向の画像開始タイミングを後方にずらす補正を行う。
一方、制御部１０１は、読み取り画像データが参照画像データＧ３（図６参照）と最も一致度が高かった場合、主走査方向の画像開始タイミングを後方にずらした画像と一致度が高いと見做すことができるため、主走査方向の画像開始タイミングを前方にずらす補正を行う。
【００７１】
また、制御部１０１は、読み取り画像データが参照画像データＧ４（図７参照）と最も一致度が高かった場合、主走査方向に縮小するように変倍量をずらした画像と一致度が高いと見做すことができるため、サンプリングの間隔を狭めることで、主走査方向に拡大するように変倍量をずらす補正を行う。
一方、制御部１０１は、読み取り画像データが参照画像データＧ６（図７参照）と最も一致度が高かった場合、主走査方向に拡大するように変倍量をずらした画像と一致度が高いと見做すことができるため、サンプリングの間隔を広げることで、主走査方向に縮小するように変倍量をずらす補正を行う。
【００７２】
ステップＳ１１２において、制御部１０１は、所定の予め定められた閾値以上の用紙において、画像の位置ずれや変倍が発生していないと判定した場合（ステップＳ１１２：ＮＯ）、最終ページまで指定された画像形成が完了しているか否かを判定する（ステップＳ１１４）。
制御部１０１は、最終ページまで指定された画像形成が完了していると判定した場合（ステップＳ１１４：ＹＥＳ）、そのまま処理を終了する。
一方、制御部１０１は、最終ページまで指定された画像形成が完了していないと判定した場合（ステップＳ１１４：ＮＯ）、ステップＳ１０１へと移行して、指定された画像形成を最終ページまで繰り返し実行する。
【００７３】
図８は、２値の参照画像データを生成する場合の画像形成装置１００における各部の信号タイミングを示すタイムチャートである。
まず、制御部１０１に動作の開始を意味する開始信号（図８（ａ））が与えられる。この開始信号を受けて、制御部１０１は、リード信号を生成し、画像データ記憶部１１０から元画像データを読み出す。このリード信号として、画像の副走査方向の有効タイミングを示す垂直有効信号ＶＶ（図８（ｂ）と、画像の主走査方向の有効タイミングを示す水平有効信号ＨＶ（図８（ｃ））と、を生成する。ここで、クロック生成部１０２は、ＰＷＭ信号を生成するための出力用クロック（図８（ｄ）：例えば、出力画像データと同じ１２００ｄｐｉ）をＰＷＭ処理部１３０に供給する。図８（ｅ）は、１２００ｄｐｉのＰＷＭ信号を模式的に示している。また、クロック生成部１０２は、参照画像データが３００ｄｐｉ・２値であれば、出力用クロック（図８（ｄ）：例えば、１２００ｄｐｉ）を利用して、参照画像クロック（図８（ｆ）：例えば、１２００ｄｐｉを４分周して３００ｄｐｉ）を参照画像生成部１６０に供給する。図８（ｇ）は、３００ｄｐｉ・２値の参照画像データを模式的に示している。この参照画像データは、出力物読み取り部１５０における読み取り画像データと同時にリード信号に応じて読み出し、読み取り画像データと参照画像データとは検査部１８０に供給される。
【００７４】
また、図９は、多値（例えば１６値）の参照画像データを生成する場合の画像形成装置１００における各部の信号タイミングを示すタイムチャートである。
まず、制御部１０１に動作の開始を意味する開始信号（図９（ａ））が与えられる。この開始信号を受けて、制御部１０１は、リード信号を生成し、画像データ記憶部１１０から元画像データを読み出す。このリード信号として、画像の副走査方向の有効タイミングを示す垂直有効信号ＶＶ（図９（ｂ）と、画像の主走査方向の有効タイミングを示す水平有効信号ＨＶ（図９（ｃ））と、を生成する。ここで、クロック生成部１０２は、ＰＷＭ信号を生成するための出力用クロック（図９（ｄ）：例えば、出力画像データと同じ１２００ｄｐｉ）をＰＷＭ処理部１３０に供給する。図７（ｅ）は、１２００ｄｐｉのＰＷＭ信号を模式的に示している。また、クロック生成部１０２は、参照画像データが３００ｄｐｉ・１６値であれば、出力用クロック（図９（ｄ）：例えば、１２００ｄｐｉ）を利用して、参照画像クロック（図９（ｆ）：例えば、１２００ｄｐｉ）を参照画像生成部１６０に供給する。図９（ｇ）は、３００ｄｐｉ・１６値の参照画像データを模式的に示している。この参照画像データは、出力物読み取り部１５０における読み取り画像データと同時にリード信号に応じて読み出し、読み取り画像データと参照画像データとは検査部１８０に供給される。
【００７５】
以上のように、本実施形態に係る画像形成装置１００は、ＰＷＭ信号を所定の周期でサンプリングし、主走査方向の画像開始タイミング又は変倍量を振った複数の参照画像データを生成する参照画像生成部１６０と、検査部１８０における読み取り画像データと参照画像生成部１６０により生成された複数の参照画像データとの比較結果に基づいて、主走査方向の画像開始タイミング又は変倍量を補正する補正部１９０と、を備える。
したがって、本実施形態に係る画像形成装置１００によれば、複数の参照画像を並列に、実機動作と同時に生成することができる。また、単純な比較処理と補間値算出により比較補正を行うことができる。よって、再現性あるレジスト位置ずれや変倍補正の問題（例えば、ドラムやポリゴンの取り付け位置のずれや傾き、用紙の搬送位置ずれ等）に対して、単純な構成でリアルタイム補正を行うことができる。これにより、印刷物の作成に係る生産性を向上させることができる。
【００７６】
また、本実施形態に係る画像形成装置１００によれば、補正部１９０は、複数の比較結果のうち最も一致度が高い比較結果に基づいて、主走査方向の画像開始タイミング又は変倍量の補正量を決定する。
そして、本実施形態に係る画像形成装置１００は、補正部１９０で決定される画像開始タイミングの補正量に基づき、制御部１０１にて、水平有効信号（ＨＶ）の開始タイミングを制御する。
また、本実施形態に係る画像形成装置１００は、補正部１９０で決定される変倍量の補正量に基づき、クロック生成部１０２にて、出力クロックの周期を制御する。
したがって、本実施形態に係る画像形成装置１００によれば、簡易な比較処理で補正量を決定することができるので、迅速かつ適切に検査して補正処理を行うことができる。
【００７７】
また、本実施形態に係る画像形成装置１００によれば、参照画像生成部１６０は、オンとオフとの２値であるＰＷＭ信号について、所定の周期毎に当該ＰＷＭ信号を１回サンプリングし、参照画像データを２値データとして生成する。
したがって、本実施形態に係る画像形成装置１００によれば、エラーのない状態で高速に２値の参照画像データを生成できるので、迅速かつ適切に検査して補正処理を行うことができる。
【００７８】
また、本実施形態に係る画像形成装置１００によれば、参照画像生成部１６０は、オンとオフとの２値であるＰＷＭ信号について、所定の周期毎に当該ＰＷＭ信号を複数回サンプリングし、複数のサンプリング結果を用いて、参照画像データを多値データとして生成する。
したがって、本実施形態に係る画像形成装置１００によれば、エラーのない状態で高速に多値の参照画像データを生成できるので、迅速かつ適切に検査して補正処理を行うことができる。
【００７９】
また、本実施形態に係る画像形成装置１００は、ＰＷＭ信号を生成する際に使用されるクロック信号を参照して、参照画像生成部１６０がＰＷＭ信号をサンプリングする際のクロック信号を生成するクロック生成部１０２を備える。
したがって、本実施形態に係る画像形成装置１００によれば、適切なサンプリングにより適切な参照画像データを生成して検査することができるので、迅速かつ適切に検査して補正処理を行うことができる。
【００８０】
また、本実施形態に係る画像形成装置１００は、参照画像生成部１６０により生成される参照画像データの検査部１８０への到達タイミングを遅らせることで、読み取り画像データと参照画像データのタイミングを一致させるタイミング調整部１７０を備える。また、検査部１８０は、読み取り画像データとタイミング調整部１７０によってタイミングが調整された参照画像データとを比較して、印刷物を検査する。
したがって、本実施形態に係る画像形成装置１００によれば、画像形成後の読み取りに遅れることなく参照画像データを生成して検査することができるため、迅速かつ適切に検査して補正処理を行うことができる。
【００８１】
また、本実施形態に係る画像形成装置１００によれば、タイミング調整部１７０は、読み取り画像データを生成するタイミング信号を利用して、読み取り画像データと参照画像データのタイミングを一致させる。
したがって、本実施形態に係る画像形成装置１００によれば、画像形成後の読み取りに遅れることなく参照画像データを確実に生成して検査することができるので、迅速かつ適切に検査して補正処理を行うことができる。
【００８２】
また、本実施形態に係る画像形成装置１００によれば、ＰＷＭ信号に基づいて主走査方向のライン毎に副走査方向に繰り返して画像が形成され、主走査方向のライン毎に副走査方向に繰り返して印刷物が読み取られて読み取り画像データが生成される場合に、検査部１８０は、読み取り画像データと、タイミング調整部１７０によってタイミングが調整された参照画像データとをライン毎に比較して検査する。
したがって、本実施形態に係る画像形成装置１００によれば、画像形成後の読み取りに遅れることなくリアルタイムで検査することができるので、迅速かつ適切に検査して補正処理を行うことができる。
【００８３】
また、本実施形態に係る画像形成装置１００によれば、参照画像生成部１６０は、読み取り画像データと等しい解像度の複数の参照画像データを生成する。
したがって、本実施形態に係る画像形成装置１００によれば、解像度変換の画像処理の場合よりも高速に、読み取り画像データの生成よりも先に参照画像データを生成できるので、迅速かつ適切に検査して補正処理を行うことができる。
【００８４】
以上、本発明に係る実施形態に基づいて具体的に説明したが、本発明は上記実施形態に限定されるものではなく、その要旨を逸脱しない範囲で変更可能である。
【００８５】
例えば、上記実施形態では、検査部１８０において、画像の位置ずれや変倍が発生していないかを確認する検査するようにしているが、これに限定されるものではない。例えば、検査部１８０は、タイミング調整された読み取り画像データと参照画像データとを比較して一致しているかを検査することで、画像の汚れ付着や画像の欠けなどによる不一致（異常）が発生していないかを確認するようにしてもよい。
【００８６】
この場合、制御部１０１は、検査部１８０からの検査結果を受け、不一致が検知された画素数やライン数をカウントし、カウント値が所定の予め定められた閾値以上のときに画像が異常であると判断し、カウント値が所定の予め定められた閾値未満のときに画像が正常であると判断する。
【００８７】
次に、制御部１０１は、読み取り画像データと参照画像データとの検査で不一致のカウント数が閾値を超えて異常と判断した場合、異常発生によるエラー処理を実行する。制御部１０１は、このエラー処理として、画像形成を停止するように、給紙部１０５、搬送部１０７、画像データ記憶部１１０、解像度変換部１２０、ＰＷＭ処理部１３０、画像形成部１４０の各部を停止させるよう制御する。また、制御部１０１は、異常により画像形成を停止する旨を操作表示部１０３に表示し、必要に応じて外部機器に停止を報知する。また、制御部１０１は画像形成を停止させるのではなく、異常が検出された元画像データについて再び画像形成を実行するように、給紙部１０５、搬送部１０７、画像データ記憶部１１０、解像度変換部１２０、ＰＷＭ処理部１３０、画像形成部１４０の各部を制御してもよい。この場合も、制御部１０１は、異常により画像形成を再実行する旨を操作表示部１０３に表示し、必要に応じて外部機器に報知する。なお、エラー処理としては各種の対処が存在するため、ここに示す以外の制御を実行してもよい。
【００８８】
また、上記実施形態では、補正部１９０が、複数の比較結果のうち最も一致度が高い比較結果に基づいて、主走査方向の画像開始タイミング又は変倍量の補正量を決定するようにしているが、これに限定されるものではない。例えば、補正部１９０が、複数の比較結果のうち一致度が高い２つの比較結果の補間演算により、主走査方向の画像開始タイミング又は変倍量の補正量を決定するようにしてもよい。
上記の構成を備えることで、より精度よく補正量を決定することができるので、印刷物の作成に係る生産性をより確実に向上させることができる。
【００８９】
その他、画像形成装置を構成する各装置の細部構成及び各装置の細部動作に関しても、本発明の趣旨を逸脱することのない範囲で適宜変更可能である。
【符号の説明】
【００９０】
１００  画像形成装置
１０１  制御部
１０２  クロック生成部
１０３  操作表示部
１０４  記憶部
１０５  給紙部
１０６  搬送部
１１０  画像データ記憶部
１２０  解像度変換部
１３０  ＰＷＭ処理部
１４０  画像形成部
１５０  出力物読み取り部
１６０  参照画像生成部
１６１  サンプリング部
１６２  固有処理除去部
１６３  平均化部
１７０  タイミング調整部
１８０  検査部
１９０  補正部
【図１】
2019144306.tif 000003
【図２】
2019144306.tif 000004
【図３】
2019144306.tif 000005
【図４】
2019144306.tif 000006
【図５】
2019144306.tif 000007
【図６】
2019144306.tif 000008
【図７】
2019144306.tif 000009
【図８】
2019144306.tif 000010
【図９】
2019144306.tif 000011